(57)【要約】【課題】  液晶パネル30は、液晶ケース41やＬＣＤフレーム50に収納され、又、前面に保護カバー37が設けられて保護されると共に、ボディーケース10の内面が直接接触しないように間隙を設けるなどにより、衝撃や圧力が加わらないように種々の工夫がなされているも、液晶表示板を収納する機器は、小型軽量化の要望が強く、液晶パネルの周囲に充分な緩衝空間を形成することが困難であり、液晶パネルの周囲空間を小さくしつつ液晶パネルに衝撃を伝えないようすることが望まれていた。【解決手段】  ＬＣＤフレーム50に液晶表示板を収納してボディーケースに固定する液晶表示板の取付け機構において、ＬＣＤフレームのフレーム壁53を液晶表示板の厚みよりも僅かに高くしたＬＣＤフレームとする。【選択図】    図３
2006251241.tif 000002
【特許請求の範囲】
【請求項１】
フレームに表示素子を収納してボディーケースに固定する表示素子の取付け機構であって、前記フレームのフレーム壁が前記表示素子の高さ（厚み）よりも僅かに高いフレームであって、前記フレーム壁の先端が、前記表示素子が組み込まれる電子機器の外装ケースであるボディーケースの内側へ接するように近接していることを特徴とする表示素子の取付け構造。
【請求項２】
前記フレーム壁は、フレーム壁上端から突出するフレーム突起を備えてフレーム板からフレーム突起先端までのフレーム壁の高さが前記表示素子の高さ（厚み）よりも高くされていることを特徴とする請求項１に記載した表示素子の取付け構造。
【請求項３】
前記表示素子の前面に保護カバーが設けられる表示素子の取付け機構であって、前記保護カバーの周縁であるカバー鍔部の厚みと前記表示素子の厚みとの和よりもフレーム壁の高さが僅かに高くされていることを特徴とする請求項１又は請求項２に記載した表示素子の取付け構造。
【請求項４】
前記保護カバーは、前記表示素子の前ケースの前面板に載置され、前記保護カバーのカバー鍔部とクッション板とを重ねて前記カバー鍔部を電子機器の外装ケースである前記ボディーケースの内側と前記前面板とにより挟んでいることを特徴とする請求項３に記載した表示素子の取付け構造。
【請求項５】
カメラのボディーケースに固定されたフレームに表示素子が収納されて固定され、フレームのフレーム壁が前記表示素子の高さ（厚み）よりも僅かに高く、フレーム壁の先端がボディーケースの内側直近に位置していることを特徴とするデジタルカメラ。
【請求項６】
前記表示素子の前面にクッション板を介して保護ケースが載置され、保護ケース周縁のケース鍔部をクッション板と合わせて表示素子の前ケース前面板とボディーケースの内側とで挟持していることを特徴とする請求項５に記載したデジタルカメラ。
【発明の詳細な説明】
【技術分野】
【０００１】
本発明は、デジタルカメラや携帯電話機、携帯用小型テレビなどに組み込まれる液晶ディスプレイなどの表示素子の取付け構造、及び、このような表示素子を内蔵するデジタルカメラに関するものである。
【背景技術】
【０００２】
今日、デジタルカメラのモニタ画面や携帯電話機又は携帯用ポケットテレビなどの表示画面として液晶表示板が多用されている。
【０００３】
この液晶表示板は、液晶パネルとこの液晶パネルの裏面に設けられる光源としてのバックライトとが組み合わされ、回路基板に取付けられると共に液晶表示板の前面にアクリル樹脂などの透明な保護カバーを位置させてケースの開口部の内側直近に液晶パネルを固定するものである。
【０００４】
そして、液晶パネルを回路基板に固定するに際しては、液晶パネルを支持するＬＣＤホルダーを使用し、バックライトをＬＣＤホルダーに収納し、ＬＣＤホルダーの上に液晶パネルを固定してＬＣＤホルダーを回路基板に固定するものがある。
【０００５】
このＬＣＤホルダーを介して液晶パネルを回路基板に固定した場合、液晶パネルと回路基板とを電気的に接続するに際し、ＬＣＤホルダーの熱膨張により液晶パネルと回路基板との電気的接続に接続不良が発生しない工夫を施すことが提案されている（例えば特許文献１）。
【０００６】
また、液晶パネルの表示部に保護カバーを被せるに際し、保護カバーに加わる外力が液晶パネルの表面に伝達されることにより、液晶パネルの動作不良や破損が生じる危険性があり、このような損傷が生じないようにするため、保護カバーやケースで構成するハウジングをラウンド状として液晶パネルの表面と保護カバーとの間に空間を確保することも提案されている（例えば特許文献２）。
【０００７】
さらに、今日、液晶パネルとバックライトとを組み合わせ、液晶パネルの下にバックライトを配置して液晶ケース内に液晶パネルとバックライトとを収納した表示素子とし、液晶パネルなどのボディーケースへの取り付けや電子機器の組み立てを容易とすることも行われている。
【０００８】
この液晶ケース内に液晶パネルとバックライトとを重ね合わせて収納した表示素子をデジタルカメラに収納する場合、図４に示すように、回路基板27の背面にＬＣＤフレーム50を配置するようにしてＬＣＤフレーム50をボディーケース10に固定し、液晶ケース41内に液晶パネル30とバックライト35とを重ね合わせた表示素子をこのＬＣＤフレーム50に収納するように固定するものである。
【０００９】
なお、この回路基板27は、光学レンズ21の後方に配置されるＣＣＤなどの撮像素子25を固定するものであり、回路基板27の周辺などの適宜箇所をボディーケース10の所要箇所にビス止めすることにより、回路基板27をボディーケース10に固定しているものである。
【００１０】
そして、この表示素子は、図５に示すように、液晶パネル30とバックライト35とを重ねて液晶ケース41に収納し、液晶パネル30の液晶表示部32を除く液晶パネル30の周囲を前面板44で覆う前ケース43を液晶ケース41に固定して液晶パネル30とバックライト35とを所定位置関係として重ね合わせるように収納固定しているものである。
【００１１】
そして、この表示素子をＬＣＤフレーム50に収納固定する場合、ＬＣＤフレーム50のフレーム壁53を液晶ケース41の外形に合わせた幅及び奥行きとして表示素子をＬＣＤフレーム50に固定し、前ケース43の前面板44の表面に両面接着テープなどの接着材47を用いて保護カバー37を表示素子に固定しているものがある。
【００１２】
なお、保護カバー37の周縁のカバー鍔部39の前面には、薄板状の緩衝材48を貼着し、ボディーケース10の表示部枠15の内側が衝撃などにより内方へ変形した場合に液晶パネル30が損傷を受けることを防止するようにしている。
【００１３】
また、図６に示すように、カバー鍔部39の前面を両面接着テープなどの接着材47によりボディーケース10の背面12に形成した表示部枠15に接着することにより、保護カバー37をボディーケース10に固定し、保護カバー37と表示素子との間に僅かな間隙を形成するようにして表示素子をＬＣＤフレーム50に固定しておき、ボディーケース10や保護カバー37に外力が加わっても液晶パネル30が損傷を受けないようにしているものもある。
【特許文献１】特開平０８−０７６０９８号公報
【特許文献２】特開平０９−０１６０９８号公報
【発明の開示】
【発明が解決しようとする課題】
【００１４】
前述のように、液晶パネルは、液晶ケースやＬＣＤフレームに収納され、液晶パネルの前面に保護カバーが設けられて液晶パネルを保護すると共に、ボディーケースに形成される表示部枠の内面が液晶パネルと直接に接触しないように間隙を設けるなどにより、液晶パネルに衝撃や圧力が加わらないように種々の工夫がなされている。
【００１５】
また、保護カバーの周縁が接着材により表示素子又はボディーケースの表示部枠などに固定されている場合、温度や湿度により保護カバーが膨張変形して液晶パネルを押圧し、動作不良を生じさせることがあり、保護カバーと液晶パネルとの間にも間隙が必要とされる。
【００１６】
しかし、液晶表示板などの表示素子を用いる機器は、今日、小型軽量化の要望が強く、表示素子と周囲の部材との間に充分な緩衝空間を形成することが困難となっている。
【００１７】
そこで、本発明は、液晶パネルなどが衝撃などの外力により損傷することなく、液晶パネルなどによるモニタ画面を備える機器を小型化することのできる表示素子の取付け構造を提供するものである。
【課題を解決するための手段】
【００１８】
本発明は、ＬＣＤフレーム（50）に液晶表示板などの表示素子を収納してボディーケース（10）に固定する表示素子の取付け機構において、ＬＣＤフレーム（50）のフレーム壁（53）を表示素子の高さ（厚み）よりも僅かに高くしたＬＣＤフレーム（50）とするものである。
【００１９】
そして、表示素子を収納しているフレーム（50）のフレーム壁（53）の先端をボディーケース（10）の内側に接触させるようにボディーケース（10）へ近接させるものである。
【００２０】
また、フレーム壁（53）は、その上端から突出するフレーム突起（55）を設けてフレーム壁（53）の高さを表示素子の高さ（厚み）よりも高くすることもあり、このフレーム突起（55）の先端までの高さを表示素子の高さ（厚み）よりも高くするに際しては、表示素子の厚みと表示素子の上に載置する保護カバー（37）におけるカバー鍔部（39）の厚みとの和よりも僅かに高くすることが好ましい。
【００２１】
さらに、表示素子の上に載置する保護カバー（37）は、クッション板（49）を挟んで表示素子の上に載置し、保護カバー（37）の周縁に形成されるカバー鍔部（39）の上面をボディーケース（10）の内側に接触させて表示素子の前ケース（43）とボディーケース（10）とにより保護カバー（37）を挟持させることが好ましい。
【００２２】
そして、本発明は、カメラのボディーケース（10）に固定されたＬＣＤフレーム（50）に表示素子が収納されて固定され、ＬＣＤフレーム（50）のフレーム壁（53）が前記表示素子の高さ（厚み）よりも僅かに高く、フレーム壁（53）の先端がボディーケース（10）の内側直近に位置したデジタルカメラとするものであり、表示素子の前面にクッション板（49）を介して保護カバー（37）が載置され、保護カバー周縁のカバー鍔部（39）をクッション板（49）と合わせて表示素子の前ケース前面板（44）とボディーケース（10）の内側とで挟持するデジタルカメラとするものである。
【発明の効果】
【００２３】
このように、表示素子を収納するフレームのフレーム壁を表示素子の厚みよりも高くすることにより、表示素子を組み込む電子機器のケースとなるボディーケースに衝撃が加わったとき、表示素子の液晶表示部を外部から視認させる開口部分周辺のボディーケースから表示素子へ直接に衝撃が伝達されることを防止できる。
【００２４】
また、保護カバーのカバー鍔部をクッション板と共に表示素子の前板と表示部枠の裏面との間に挟むようにしたものは、保護カバーの膨張変形を吸収して保護カバーにより表示素子を損傷させることを防止できる。
【００２５】
そして、ＬＣＤフレームに表示素子が収納されて固定され、ＬＣＤフレームにおけるフレーム壁の先端がボディーケースの内側直近に位置し、保護カバー周縁のカバー鍔部をクッション板と合わせて前ケースの前面板とボディーケースの内側との間に挟持するデジタルカメラは、ボディーケースに加わった衝撃により表示素子を損傷させることを防止できるものである。
【発明を実施するための最良の形態】
【００２６】
本発明に係る液晶表示板などの表示素子の取付け構造は、デジタルカメラに表示素子を組み込むものであって、ボディーケース10に固定される回路基板27へＬＣＤフレーム50に液晶表示板などの表示素子を収納するようにして表示素子をボディーケース10に固定するものである。
【００２７】
そして、表示素子は液晶パネル30とバックライト35とが重ねられて前ケース43により液晶ケース41内に液晶パネル30とバックライト35とを一体に収納するものであり、ＬＣＤフレーム50の周囲に形成されたフレーム壁53の上端から突出するフレーム突起55先端の高さを表示素子の高さ（厚み）よりも高くし、フレーム突起55の先端をボディーケース10の液晶表示部用開口部分の周辺に形成される表示部枠15の裏面直近に位置させるものである。
【００２８】
なお、表示素子の前面に配置する透明な保護カバー37は、表示素子の上又はカバー鍔部39の上にクッション板49を載置し、カバー鍔部39とクッション板49とを表示素子の前ケース43における前面板44とボディーケース10に形成された表示部枠15の裏面とにより挟持するものである。
【実施例】
【００２９】
本発明に係る表示素子の取付け構造の実施例は、図１に示すように、デジタルカメラへの表示素子の取付けを行うものである。
【００３０】
このデジタルカメラは、ボディーケース10の前面にレンズキャップ22が着脱可能とされ、沈胴式のレンズ鏡筒23の前方端近傍に複数枚の光学レンズ21が取り付けられたデジタルカメラであり、光学レンズ21の後方にはＣＣＤなどの撮像素子25が回路基板27に固定されているものである。
【００３１】
なお、この回路基板27は、その周縁などの適宜箇所をボディーケース10の所要箇所にビス止めされてボディーケース10に固定され、撮像素子25や液晶表示板、その他の必要な集積回路などが固定されるものである。
【００３２】
そして、表示素子は液晶ケース41内に液晶パネル30とバックライト35とを重ねて収納しているものであり、この液晶ケース41に収納された液晶パネル30をボディーケース10の開口部分に挿入される透明な保護カバー37の内側に位置させるようにして液晶ケース41をＬＣＤフレーム50に収納固定するものである。
【００３３】
なお、このＬＣＤフレーム50は、回路基板27の裏面所要箇所に載置され、ボディーケース10に固定されるものであり、図１に示したデジタルカメラでは、カメラの表示部であるモニタ画面がケース背面12の一部に形成されるため、保護カバー37の周囲に表示部枠15を形成するようにしている。
【００３４】
この表示部枠15は、保護カバー37を挿入する開口部の周囲をケース背面12から僅かに突出させるものであり、ケース背面12及び保護カバー37を挿入する開口部の周囲の剛性を高めたボディーケース10としているものである。
【００３５】
そして、ＬＣＤフレーム50は、液晶ケース41の大きさに合わせた平板状のフレーム板51の周囲にフレーム壁53が形成されるものであり、図２に示すように、フレーム板51の適宜位置に透孔57が設けられ、フレーム板51の周囲にはバックライト35や液晶パネル30からのコネクタコードを引き出す間隙を形成するようにしてフレーム壁53が垂直方向へ立設されるものであり、フレーム板51の所要箇所にビス穴58や係止突起59が設けられている。
【００３６】
又、本実施例では、このフレーム壁53の上端縁から更に上方に突出するフレーム突起55を設けるものであり、フレーム突起55の先端からフレーム板51の上面までの高さを表示素子の厚み（高さ）よりも僅かに高くしているものである。
【００３７】
このＬＣＤフレーム50は、係止突起59をボディーケース10の所定位置に係合させてビス穴58を貫通するビスによりＬＣＤフレーム50をボディーケース10に固定するものであり、ＬＣＤフレーム50を回路基板27の裏面の所定位置に位置させ、図３に示すように表示素子を収納するものである。
【００３８】
この表示素子は、バックライト35の上方に液晶パネル30を重ねて液晶ケース41に収納し、液晶パネル30における液晶表示部32の周辺である液晶パネル30の周囲を前面板44で押さえるように前ケース43を被せたものであり、この表示素子をＬＣＤフレーム50に収納したとき、ＬＣＤフレーム50におけるフレーム突起55が表示素子よりも高く突出して先端を表示部枠15の直近に位置させることができる。
【００３９】
従って、ボディーケース10に衝撃が加わり、表示部枠15が内側に変形しようとしても、フレーム壁53に衝撃が伝達され、液晶パネル30に衝撃が加わることを防止できる。
【００４０】
また、この実施例では、保護カバー37を表示部枠15に囲まれたボディーケース10の開口部分に取付けるに際し、カバー鍔部39の上面や下面を表示部枠15の裏面や前ケース43の前面板44に固着することなく、前面板44との間に枠状のクッション板49を挿入して保護カバー37を液晶パネル30の前面に載置し、カバー鍔部39の上面を表示部枠15の裏面に接触させるようにして、表示部枠15とクッション板49を介した前ケース43の前面板44とにより、保護カバー37の周囲を挟持するものとしている。
【００４１】
なお、フレーム突起55は、図２に示したように、フレーム板51の上辺及び下辺のフレーム壁53、及び、フレーム板51の右辺及び左辺のフレーム壁53である四方のフレーム壁53に各々３個づつ、合計９個のフレーム突起55を設ける場合のみでなく、液晶パネル30のアスペクト比によりフレーム突起55の数や各フレーム突起55の幅を変更するものである。
【００４２】
また、フレーム突起55を設けることなくフレーム壁53の高さ自体を表示素子の厚みよりも高くし、表示素子と保護カバー37におけるカバー鍔部39の厚みの合計に略一致又はこれよりも僅かにより高くすることもある。
【００４３】
このように、フレーム突起55を含むフレーム壁53の高さ又はフレーム壁53自体の高さを表示素子の厚さ（高さ）及びカバー鍔部39の厚さ（高さ）の合計と略一致させるか又は表示素子の厚さとカバー鍔部39の厚さの合計よりも僅かに高くすると、クッション板49を挿入して保護カバー37を表示素子の上に載置し、ＬＣＤフレーム50に保護カバー37を載置した表示素子を収納するようにしてボディーケース10の表示部枠15で保護カバー37の周辺を押さえれば、フレーム壁53又はフレーム突起55を表示部枠15の裏面に接触又は表示部枠15の裏面直近に位置させることができる。
【００４４】
そして、クッション板49の厚みにより保護カバー37と液晶パネル30との間に間隙を生じさせ、保護カバー37に衝撃が加わっても液晶パネル30の液晶表示部32に衝撃が伝達されることを防止することができる。
【００４５】
更に、温度や湿度の変化により保護カバー37が膨張したとき、保護カバー37の周縁と表示部枠15の内縁との間に空隙を形成しておけば、カバー鍔部39が表示部枠15や前ケース43からずれるようにして保護カバー37の膨張が吸収され、保護カバー37が内側に反ることを防止でき、保護カバー37の裏面が液晶パネル30に接触して液晶パネル30を損傷させることも防止できる。
【００４６】
なお、クッション板49に透明な軟質樹脂板を用いる場合は、表示素子の上面全面を覆うクッション板49の上に保護カバー37を載置することもある。
また、クッション板49は、保護カバー37と表示素子との間に挿入する場合に限ることなく、枠形のクッション板49をカバー鍔部39の上に載置してカバー鍔部39とクッション板49とを表示素子の前面板44とボディーケース10の開口部分周縁である表示部枠15とで挟むようにすることもある。
【００４７】
そして、上記実施例は、デジタルカメラへの表示素子の取付け構造としているも、携帯電話機やビデオカメラ、携帯用ポケットテレビなども同様に取付けることができるものである。
また、表示素子は、液晶表示板などの液晶パネルを用いた表示素子に限るものではない。
【図面の簡単な説明】
【００４８】
【図１】本発明に係る表示素子の取付け構造を用いたデジタルカメラの一例を示す断面図。
【図２】本発明に係る表示素子の取付け構造に用いるＬＣＤフレームの概観を示す斜視図。
【図３】本発明に係る表示素子の取付け構造の要部を示す断面図。
【図４】従来の表示素子を内蔵するデジタルカメラの一例を示す断面図。
【図５】従来の表示素子の取付け構造の一例を示す断面図。
【図６】従来の表示素子の取付け構造の他の例を示す断面図。
【符号の説明】
【００４９】
１０  ボディーケース                １２  ケース背面
１５  表示部枠                      ２１  光学レンズ
２２  レンズキャップ                ２３  レンズ鏡筒
２５  撮像素子                      ２７  回路基板
３０  液晶パネル                    ３２  液晶表示部
３５  バックライト                  ３７  保護カバー
３９  カバー鍔部                    ４１  液晶ケース
４３  前ケース                      ４４  前面板
４７  接着材                        ４８  緩衝材
４９  クッション板
５０  ＬＣＤフレーム                ５１  フレーム板
５３  フレーム壁                    ５５  フレーム突起
５７  透孔                          ５８  ビス穴
５９  係止突起
【図１】
2006251241.tif 000003
【図２】
2006251241.tif 000004
【図３】
2006251241.tif 000005
【図４】
2006251241.tif 000006
【図５】
2006251241.tif 000007
【図６】
2006251241.tif 000008